Podtech/llm-jp-corpus-v4-ja_patent huggingface dataset:
(57)【要約】【課題】降雨時の視認性を向上させる【解決手段】仮想面（１）を得るために複数のカメラ（２）を雨滴の影響を受けづらいドアミラー（６）下部位置に配置し、フロントガラス面（４）よりも室外側に仮想面（１）を構成する。【選択図】  図２
2006182340.tif 000002
【特許請求の範囲】
【請求項１】
複数のカメラを用いた仮想面において、仮想面をガラス面近くに配置する事を特徴とする降雨時の視認性向上システム
【発明の詳細な説明】
【技術分野】
【０００１】この発明は、複数のカメラで構成する仮想面を利用することにより、降雨時の視認性を大幅に向上させる技術に関するものである。
【背景技術】
【０００２】晴天の日に比べ降雨時に自動車を運転すると、雨滴がガラスに付着するため周囲視界の視認性が落ちる。これまで、自動車において雨滴を避ける手段としては、古くからワイパーという手段が用いられてきた。【０００３】このワイパーに関しては、これまでも降雨時の視認性を改善するためにいくつかの発明が行われている。例えば、自動車の前面ガラスに圧搾エアーを吹きつけて雨滴を飛ばす方式、ワイパー動作を工夫してガラス全面を払拭する方式などである。しかしながら、これらはいずれも一度は雨滴とガラスが接触するため、視認性を大幅に向上する事は難しかった。【０００４】また、複数のカメラを用いた仮想面に関する技術は非常に多くの発明がなされており、既にスポーツ観戦を仮想的な視点から観戦するなど、実用的な範囲に入りつつある。しかし、従来技術の目的は、このスポーツ観戦の例のように、次々と視点を変えながら臨場感ある映像を得る事であったり、車両周辺の撮影画像を運転者に分かりやすく伝達するようなものであり、降雨との関連を狙った発明ではなかった。【０００５】
【非特許文献１】        特開２００３−２９１７８６
【非特許文献２】        特開２００２−２４０６８６
【非特許文献３】        特表２００２−５１８７２２
【非特許文献４】        特開２００４−２１３０７
【非特許文献５】        特開２００４−１９４０７１
【発明の開示】
【発明が解決しようとする課題】
【０００６】基本的なワイパーの動作としては、ゴムが付いたブレード状のものでフロントガラス面を掃くように往復することが一般的である。しかし、どうしても往復運動の間に雨滴がガラスに付着し、視界が悪くなるという欠点がある。特に豪雨の時などはこの傾向が激しくなり、最大限にワイパーを作動させたとしても、安全面から見て非常に危険な状態となる事があった。【０００７】降雨時に自動車事故が多い事は、雨によってスリップし易い事という事だけではなく、雨滴がガラス面に付着する事により視認性が大幅に下がる事にも原因があるものと想定される。【０００８】雨滴がガラス面に付着する事により視認性が大幅に下がる原因は、ガラス面に付着した雨滴が光を屈折させるためである。雨滴の大きさは様々であり次々と降り注ぐ。さらにガラス面との接触ですぐに形を変えるため、光の屈折は非常に複雑となる。従って、ガラスに雨滴が付着する事で、ガラス越しの視認性は大きく損なわれるのである。
【課題を解決するための手段】
【０００９】本発明は、従来型ワイパーの根本的な欠点を克服するためになされたもので、それを図面にて説明すれば、仮想面（１）を得るために複数のカメラ（２）を雨滴の影響を受けづらい状態に配置し、ガラス面（３）よりも室外側に仮想面（１）を構成する。
【発明の効果】
【００１０】この構成が効果がある事は、次の事例が示している。全く雨滴のかからない室内窓から雨の室外を見た時と、同程度の雨量で、ワイパーを動作させない自動車から室外を見た時では、格段に前者の視認性が勝っている。これはガラス面に雨滴が付着し、光を複雑に屈折させているか否かが原因である。従って、雨滴の付着前の映像、つまり、カメラ（２）で得た仮想面の映像を運転者に提供する事で、運転者は雨滴で屈折した風景を見ることが無くなり視認性が格段に向上する。【００１１】従来ワイパーは、雨滴がガラス面に付着するという事が前提にあった。しかしながら、雨滴の付着が視認性を著しく損ねる事から、本発明における視認性向上機能は非常に高い。【００１２】また、降雨時の視認性が上がることで、降雨時の安全運転にも部分的に寄与出来るため、社会的な貢献度も高いものと考えられる。
【発明を実施するための最良の形態】
【００１３】この発明は、自動車に限定されるものではないが、実施の形態として自動車のフロントガラスに適用する場合について説明する。【００１４】仮想面を得るために複数のカメラ（２）を配置する。このカメラ（２）は、雨滴の影響を出来るだけ避ける事が望ましいため、左右のドアミラー（６）下部にそれぞれ取り付ける。また、車種や形状によっては、フロントグリル（８）内、ボンネット（７）周辺でもかまわない。【００１５】複数カメラ（２）の入力画像から、フロントガラス面（４）より数十ｃｍ程度室外側に離れた仮想面（１）を計算によって求める。この時に使用する計算方法には、種々の画像生成方法が提案されており、ＩＢＲ（Ｉｍａｇｅ−Ｂａｓｅｄ  Ｒｅｎｄｅｒｉｎｇ）と呼ばれる画像生成方法が、実写画像を元にして写実的な仮想視点画像を生成することができるため、これを利用しても良い。【００１６】仮想面（１）によって得られた映像を室内ディスプレイ（９）上に表示する。ディスプレイ（９）では映像が小さいと感じる場合は、フロントガラス面（４）の内側を利用して投影・表示する手法も考えられる。ただし、現時点では安全面への配慮から、更なる技術革新が必要だと思われる。
【実施例】
【００１７】自動車以外の実施例としては下記のものがある。ただし、実施例は下記に示した事例以外にも考え得る。
【実施例１】鉄道における運転手席の窓を対象に、複数カメラを用いた仮想面を窓近くに配置する。
【実施例２】航空機におけるパイロット席の窓を対象に、複数カメラを用いた仮想面を窓近くに配置する。
【実施例３】海上船舶における操舵席の窓を対象に、複数カメラを用いた仮想面を窓近くに配置する。
【実施例４】自動二輪車におけるヘルメットを対象に、複数カメラを用いた仮想面をヘルメット近くに配置する。
【図面の簡単な説明】
【００１８】
【図１】本発明の構成を示した上面図である。
【図２】実施例を示した上面図である。
【符号の説明】
【００１９】１  仮想面
２  カメラ
３  ガラス面
４  フロントガラス面
５  座席
６  ドアミラー
７  ボンネット
８  フロントグリル
９  ディスプレイ
【図１】
2006182340.tif 000003
【図２】
2006182340.tif 000004
(57)【要約】【課題】  熱殺菌、加熱充填時に、容器が熱変形して、底部が変形して自立性が劣化することがなく、積み重ねが簡単にできるとともに、底部中央部を吸引して個々に分離することが容易にできるカップ状容器を提供すること。【解決手段】  鍔部と口部周壁、胴部と底部とからなるカップ状耐熱容器であって、胴部は、下方にいくにしたがって漸次縮径されるテーパー部となっており、底部は、下方へ膨出する周辺部と、平滑状の中央部とからなり、周辺部は、複数の脚部と、脚部間に形成された谷部とを具え、谷部には、中央部から延びる放射状のリブが設けられていることを特徴とする。【選択図】  図１
2006182353.tif 000002
【特許請求の範囲】
【請求項１】
鍔部と口部周壁、胴部と底部とからなるカップ状耐熱容器であって、
胴部は、下方にいくにしたがって漸次縮径されるテーパー部となっており、
底部は、下方へ膨出する周辺部と、平滑状の中央部とからなり、
周辺部は、複数の脚部と、脚部間に形成された谷部とを具え、谷部には、中央部から延びる放射状のリブが設けられていることを特徴とするカップ状耐熱容器。
【請求項２】
底部の中央部は、平板状、もしくはゆるやかに上方へ突出形成した平滑面にしたことを特徴とする請求項１記載のカップ状耐熱容器。
【発明の詳細な説明】
【技術分野】
【０００１】
本発明は、カップ状耐熱容器に関するものである。
【背景技術】
【０００２】
カップ状の耐熱容器として、口部上端のフランジと、漸次縮径された胴部と、中央部をドーム状の肉厚の天頂部として外周部を平坦面とした底部とを具備した容器、或いは、底部中央部に中心部から稜線が放射状に延びる花弁状の凸部を形成し、底部の耐熱強度を向上させるようにした容器は、従来より知られている（例えば、特許文献１参照）。
【特許文献１】特開２００４−３３１１０４号公報
【発明の開示】
【発明が解決しようとする課題】
【０００３】
しかし、特許文献１記載の容器は、底中央部から放射状に延びる凸条があるため、積み重ねられた容器を分離するときに、吸引の妨げとなり、生産性がよくないという問題があった。
【０００４】
本発明は、上記問題を解決することを課題として、熱殺菌、加熱充填時に、容器が熱変形して、底部が変形して自立性が劣化することがなく、積み重ねが簡単にできるとともに、底部中央部を吸引して個々に分離することが容易にできるカップ状容器を提供することを目的とする。
【課題を解決するための手段】
【０００５】
本発明は、上記の課題を解決するため、カップ状耐熱容器として、鍔部と口部周壁、胴部と底部とからなるカップ状耐熱容器であって、胴部は、下方にいくにしたがって漸次縮径されるテーパー部となっており、底部は、下方へ膨出する周辺部と、平滑状の中央部とからなり、周辺部は、複数の脚部と、脚部間に形成された谷部とを具え、谷部には、中央部から延びる放射状のリブが設けられていることを特徴とする構成を採用する。
【０００６】
底部の実施例として、底部の中央部は、平板状、もしくはゆるやかに上方へ突出形成した平滑面にしたことを特徴とする構成を採用する。
【発明の効果】
【０００７】
本発明のカップ状耐熱容器は、その底部が、下方へ膨出する周辺部と平滑状の中央部とからなり、底部周辺部は、数個の脚部と、脚部間に形成された谷部とを具え、谷部には中央部から延びる放射状のリブが設けられているから、熱殺菌、加熱充填等により熱変形し、底部が落ち直立性が劣化することはない。
【０００８】
また、胴部は、下方にいくにしたがって漸次縮径されるテーパー部となっており、底部中央部は平滑状になっているので、重なった状態で搬送している容器の底部を、バキュームして個々に分離することができ、充填ライン上で並列させることが容易にできる。
【発明を実施するための最良の形態】
【０００９】
次に、本発明のカップ状耐熱容器について図面を参照して説明する。
図１〜３に示すように、本発明のカップ状耐熱容器は、鍔部１と口部周壁２と胴部３と底部４とから構成されている。
【００１０】
鍔部１は、胴部３の肉厚と同等、もしくはやや肉厚に形成され、口部周壁２は、上端に鍔部１を設け、胴部３に連なり胴部３より大径に形成されている。
胴部３は、断面円形で下方にいくにしたがって、漸次縮径するテーパー部５によって形成されている。
【００１１】
底部４は、下方へ膨出した周辺部６と、平滑状の中央部７とからなり、周辺部６には、胴部３に連なった数個の脚部８と、脚部８間に形成された谷部９が形成され、谷部９底面には、中央部７から側面に向かって放射状に延びるリブ１０が設けられている。
【００１２】
次に、上記構成に基づく作用効果について説明する。
本発明のカップ状耐熱容器は、茶、紅茶、コーヒー等の飲料類の加熱充填用として使用され、充填工程において、熱殺菌、加熱充填がおこなわれる。
充填ラインには、カップ状容器は重なった状態で搬送されてくるが、個々に分離され、充填ラインに並列される。
【００１３】
その際、底部４が、下方へ膨出した周辺部６と、平滑状の中央部７と、周辺部６に設けた数個の脚部８間に形成された谷部９を補強する放射状のリブ１０により補強されているので、熱殺菌、加熱充填時に、熱変形し、底部４が落ちて自立性が劣化することがなくなった。
【００１４】
胴部３が、断面円形で下方にいくにしたがって漸次縮径されているテーパー部５により構成されているので、重なった状態で搬送可能になり、また、脚部８が、底部周辺部６に設けられ、重なった状態で搬送しているカップ状容器の底部４の中央部７が平滑面となっているので、吸盤等によるバキュームがより一層容易となり、容器を個々に分離することが可能になった。
【００１５】
さらに、底部４の中央部７の平滑面を、望ましくは平板状にすればより一層吸盤等によるバキュームが可能となり、容器を個々に分離することが容易となった。
【００１６】
また、底部４の中央部７の平滑面を、ゆるやかに上方へ突出形成しても同様の効果が得られるのである。
なお、平滑面は、バキューム器具の吸着部以上の広さがあればよく、とくに直径１５ｍｍ以上の円形領域とするのが好ましい。
【産業上の利用可能性】
【００１７】
カップ状耐熱容器を、周辺部と放射状のリブで補強した谷部と、底部中央を平滑面にする簡単な構造により、熱殺菌や加熱充填等により熱変形せず、しかも充填ライン上で重なった容器をバキュームして個々に分離可能とされるので、生産性が上昇し、コスト低減が図れ、低廉に提供できるので、加熱された飲料製品が収納されるカップ状容器として広く利用できる。
また、飲料以外の食品、その他の内容物にも、好適に利用できる。
【図面の簡単な説明】
【００１８】
【図１】本発明のカップ状耐熱容器の正面図である。
【図２】容器の底部の説明図で、（ａ）は断面立面図、（ｂ）は下面図、（ｃ）は（ｂ）のＡ−Ａ線における断面立面図である。
【図３】底部の下面斜視図である。
【符号の説明】
【００１９】
１    鍔部
２    口部周壁
３    胴部
４    底部
５    テーパー部
６    周辺部
７    中央部
８    脚部
９    谷部
１０  リブ
【図１】
2006182353.tif 000003
【図２】
2006182353.tif 000004
【図３】
2006182353.tif 000005
(57)【要約】      （修正有）【課題】買物袋や邪魔な荷物を安全に保管でき、使用しない時に折り畳みができ、空気抵抗が小さくなり走行の妨げを防止する自転車用荷物ボックスを提供する。【解決手段】荷物がたくさん入るようにボックスを大きくし、上部の扉１は開閉し易い観音開きで、荷物がボックスからはみ出すくらい大きい時には扉の両側あるいは片側だけ開けたまま荷物を入れて走れる。また荷物がいっぱいでボックス内に入りきらない時は閉じた扉の上に載せ、ネット等で抑えて走れる。ボックスの隙間からの水の浸入を防ぐため隙間に防水の為のシート７を付けた。ボックスの素材が強く壊れにくくし、フタ部分には鍵２を付け、そのフタによって防犯効果が生まれる。荷物がない時には止め具４によりボックスが簡単に折り畳めるようにした。【選択図】図１
2006182342.tif 000002
【特許請求の範囲】
【請求項１】
衝撃に強く耐久性の強いプラスチック素材の、荷物保管を目的とするボックスである。買物袋が複数入るほどの大きさで、自転車の前後に取り付けて使用する。また荷物が無い時は折り畳んで空気抵抗を軽減できる。
【請求項２】
ボックスの枠に水の浸入を止める防水シートを付けた請求項１記載の保管ボックス。
【請求項３】
観音扉に鍵をかけて邪魔な荷物をボックスに保管出来る防犯性に優れた請求項１記載の保管ボックス。
【請求項４】
ボックスの内部に取り外し出来る仕切り板がある請求項１記載の保管ボックス。
【請求項５】
自転車の前部に付けるボックスには、運転者側の面の一部にステンレスや鏡などの反射板を付け、後方確認が出来る請求項１記載の保管ボックス。
【請求項６】
荷物の無い時は折り畳んで空気抵抗を軽減して走行出来る請求項１記載の保管ボックス。
【請求項７】
ボックスの上部に荷物を置くために、網ネットのフックを掛ける穴がある請求項１記載の保管ボックス。
【請求項８】
自転車の前後どちらにでも取り付け可能な請求項１記載の保管ボックス。
【発明の詳細な説明】
【技術分野】
【０００１】  本発明は、衝撃に強く耐久性の強いプラスチック素材の、荷物保管を目的とするボックスである。買物袋が複数入るほどの大きさで、自転車の前後に取り付けて使用する。
【背景技術】
【０００２】  従来の自転車用の籠は、多くの買物袋を持つ場合には使いづらく、買物袋や邪魔な荷物を安全に保管できなかった。【０００３】
【特許文献１】実全昭６２−１３７１８６号公報
【特許文献２】実登３０７２２７６号公報
【特許文献３】実開平０６−０５１０９３号公報
【発明の開示】
【発明が解決しようとする課題】
【０００４】  以上に述べた従来の自転車用の籠は、買物袋など大きな荷物が複数の時には入りきらなかった。フタつきの籠の場合は、細長い荷物の時にはフタが閉まらず、片側扉で開閉しづらいものであった。【０００５】  雨降りの時荷物が濡れ、防水用の袋などを籠に付けたりした。【０００６】  買物袋や邪魔な荷物を安心して籠の中に置いておく事が出来なかった。防犯のためにネットなどを付けていた。【０００７】  従来あったボックスでは籠を使用しない時に折り畳みができず、空気抵抗が大きくなり走行の妨げになった。【０００８】  本発明は、このような従来あった問題を解決しようとするものであり、自転車のフロントと荷台に多くの荷物でも出し入れし易く、雨水にも濡れず、防犯性のある荷物を保管できる自転車用ボックスを実現することを目的とするものである。
【課題を解決するための手段】
【０００９】  そして、本発明は上記目的を達成するためにボックスの大きさを大きくした。また上部の扉は開閉し易い観音開きで、荷物がボックスからはみ出すくらい大きい時には扉の両側あるいは片側だけ開けたまま荷物を入れて走れる。また荷物がいっぱいでボックス内に入りきらない時は閉じた扉の上に載せ、ネット等で抑えて走れるものである。【００１０】  また、第２課題解決手段は、ボックスの隙間からの水の浸入を防ぐため隙間に防水の為のシートを付けたものである。【００１１】  また、第３課題解決手段は、ボックスの素材が強く壊れにくくし、フタ部分には鍵を付けたものである。そのフタによって防犯効果が生まれる。【００１２】  また、第４課題解決手段は、荷物がない時にボックスが簡単に折り畳めるようにした。
【発明の効果】
【００１３】  上述したように本発明の自転車用荷物保管ボックスは、荷物の出し入れがし易く、大きな荷物や複数の荷物でも入る。【００１４】  また、雨水で荷物が濡れず、ボックス内に荷物を安心して保管することが出来る。【００１５】  また、荷物の無い時は折り畳み、空気抵抗を軽減出来る。
【発明を実施するための最良の形態】
【００１６】  以下、本発明の実施の形態を図１〜６に基づいて説明する。【００１７】    図１〜６においては、１は観音扉、２は鍵、３はバックミラー、４はボックスの横面Ａの止め具、５はボックスの横面Ｂ、６は内側の仕切り板、７は防水シート【００１８】  以下、上記構成の動作を説明する。自転車のフロント及び荷台に取り付けた、保管ボックスに複数の買物袋や邪魔な荷物を入れて、鍵２をかける。ボックスは防水シート７により雨水の浸入を防ぐ。【００１９】  荷物がボックスからはみ出すくらい大きい時に、観音扉１の両側あるいは片側だけ開けたまま荷物を入れる事ができる。【００２０】  ボックスの横面Ｂ５は、ボックスの内側に開き上部と接し、ボックスの横面Ａの止め具が内側に曲がる事によって、ボックスが折り畳まれる。【００２１】  取り外し可能な仕切り板６は、ボックス内の荷物が安定するようにしたものである。【００２２】  バックミラー３は、ボックスを自転車の前に取り付けた時、後ろの様子が確認できるようになっているものである。
【図面の簡単な説明】
【００２３】
【図１】  自転車用の荷物保管ボックスの図
【図２】  自転車用の荷物保管ボックスの扉が開いた図
【図３】  自転車用の荷物保管ボックスを自転車の前後に取り付けた図
【図４】  自転車用の荷物保管ボックスを前部に取り付ける図
【図５】  自転車用の荷物保管ボックスを折り畳む際の図
【図６】  自転車用の荷物保管ボックスを折り畳んだ状態の図
【符号の説明】
【００２４】１  観音扉
２  鍵
３  バックミラー
４  ボックスの横面Ａの止め具
５  ボックスの横面Ｂ
６  内側の仕切り板
７  防水シート
【図１】
2006182342.tif 000003
【図２】
2006182342.tif 000004
【図３】
2006182342.tif 000005
【図４】
2006182342.tif 000006
【図５】
2006182342.tif 000007
【図６】
2006182342.tif 000008
(57)【要約】【課題】  以前、実用されていた、スパイク付のタイヤはスパイクが鋼鉄製のため舗装路を削り、粉塵となって飛散するため、人体に有害とされ、使用が禁止された、現在はスタッドレスタイヤが主流を成しているが、雪質の状態によっては、スタッドレスタイヤだけでは走行の安全性が確保されず、雪道規制によりタイヤチェーンを、取り付ける状態になる。【解決手段】  現在はスタッドレスタイヤが主流であるが、これに合成樹脂製台座付きスパイクを装着すれば、舗装面を削らず凍結した雪道やアイスバーンに強いグリップを発揮し、タイヤチェーン取り付けの煩わしさからも解放される。【選択図】図１
2006182341.tif 000002
【特許請求の範囲】
【請求項１】
冬用タイヤに、装着する合成樹脂製台座付きスパイク。
本スパイクは、以前使用されていた鋼鉄製スパイクが、舗装面を削り粉塵を飛散させ人体に悪影響が有るとして、又、舗装面に轍を残すとして使用禁止されているが、此れ等の問題点を解決するために、スパイク本体の素材を根本から見なおし、積雪の状態や、雪道での規制のため、タイヤチェーンの脱着作業から解放することが出来るスパイク。
【請求項２】
合成樹脂製台座付きスパイクの大きさは、車種毎の重量と、そのタイヤが接地する面積によって、大きさと配列を変更出来るスパイク。
【発明の詳細な説明】
【技術分野】
【０００１】  本発明は、合成樹脂の特性を引き出し、活用した冬用タイヤに装着する、合成樹脂製台座付きスパイクに関するものである。
【背景技術】
【０００２】  以前は、冬用タイヤのスパイクが鋼鉄製あったため、舗装面を削りその粉塵が飛散し人体に有害とされ、使用が禁止された、そのスパイクは台座とスパイクを支持する素材はステンレスであり、スパイクは鋼鉄製で両者を合体して製品にするため、コストも掛かっていた。
【背景技術】
【０００３】  従来の、スタッドレスタイヤの性能では、雪質の状態やアイスバーンでは能力を発揮されず、車の走行に安全性が確保出来なかった。
【発明が解決しようとする課題】
【０００４】  これには次のような欠点があった。
スタッドレスタイヤであっても、雪道を走行する時の制御、制動距離の不安定があり、雪道規制ではタイヤチェーンを取り付ける等、煩雑な作業に不馴れな運転者は困惑を強いられ、これの解決が望まれている。
【０００５】  本発明は、以上のような欠点を失くすためになされたものである。
【課題を解決するための手段】
【０００６】  合成樹脂製台座付きスパイクの大きさは、車種毎の重量と、そのタイヤが接地する面積によって、スパイクの大きさと配列を変更する。
【０００７】  合成樹脂製台座付きスパイクの特性は、物理的性質（ロックウェル硬度Ｒ１２２）、機械的性質（圧縮強さ２６００）、曲げ強さ（２８００）をクリヤーする、合成樹脂で作成する。
本発明は、このため前記の構成としたスパイクである。
【発明の効果】
【０００８】  合成樹脂で作成した台座付きスパイクを装着すれば、滑りやすくなった雪道やアイスバーンに強くグリップするため、安全性の確保は出来る。
【発明の実施するための最良の形態】
【０００９】  合成樹脂製台座付きスパイクを装着するタイヤは、これまで開発されている、スタッドレスタイヤに装着すれば、最良の結果をもたらす。
【００１０】  合成樹脂製台座付きスパイクを装着するタイヤには、図面に示す形状の凹みを用意しておき、圧縮空気で装填する、この場合スパイクの大きさと、配列は、車両の特性に合わせて装着する。
【図面の簡単な説明】
【００１１】
【図１】  スパイクの側面図である。
【図２】  スパイクの平面図である。
【符号の説明】
【００１２】  １  スパイク
２  スパイクの台座
【図１】
2006182341.tif 000003
【図２】
2006182341.tif 000004
(57)【要約】【課題】食品の鮮度を保つ為に容器内に保冷材を入れると、冷気が容器内に均等に回らず、保冷材から遠い所にある食品が腐り易い。また、保冷材を適当な場所に保持する為に、容器とは異なる部材を装置すれば、コストが上がってしまう。【解決手段】蓋の裏側に保冷材を取りつける。その為に、蓋は樹脂成形品とし、蓋と一体成形により、保冷材を保持するステーを装置する。また、容器本体と蓋との嵌合部は、密閉する事により、さらに冷却効果を上げる。【選択図】図２
2006182447.tif 000002
【特許請求の範囲】
【請求項１】
底板が有り、上部が開口された容器に、樹脂製の蓋が着脱自在に装置された容器において、蓋の裏側、すなわち容器本体に被せた状態で下側に、保冷材などを吊り下げ保持する為のステーを、一体成形した事を特徴とする、保冷容器。吊り下げ保持する為のステーとは、下記のいずれかの構成を指す。
１、蓋の裏側から下向きに伸びる２本以上のステーを有し、その間隔は、付け根よりも先端の方を狭くする、または、ステーの側面に凹部や凸部を設ける。
２、蓋の裏側から下向きに伸びる２本以上のステーを有し、その間隔は、付け根よりも中央部が広くなり、先端は中央部よりも狭くする。
３、蓋の裏側から下向きに延びる１本以上のステーを有し、ステーの先端付近に、略水平部分を形成し、この略水平部分に、保冷材等を乗せる。
４、断面が円形や方形の筒型の部材を、蓋の裏側に略水平に一体成形する。また、この筒型の形状部分に、貫通孔やスリットを設けた構成も含む。
５、断面が円形や方形の筒型の部材を、蓋の裏側に略垂直下向きに伸びるように一体成形し、その筒型部分の内側の面積は、付け根よりも先端の方を小さくする、または、筒型部分の内側に、凹部や凸部を設ける事で、保冷材等を保持する。また、この筒型の形状部分に、貫通孔やスリットを設けた構成も含む。
【請求項２】
容器の側壁外周縁部と、蓋が嵌合する部分は、下記のいずれか、または、すべての構成により、略密閉されている事を特徴とする、請求項１に記載の保冷容器。
１、容器と蓋は、一方が凹形状で他方が凸形状、または、これに類する形状に構成され、蓋の上から加えた圧力により、隙間無く嵌合する。
２、容器と蓋の間に、軟質部材によるパッキンを装置する。
３、バンドやバックルやボタン等の留具により、蓋を容器に圧着して固定する。
【発明の詳細な説明】
【技術分野】
【０００１】本発明は、主として食品を入れる容器や、弁当箱等に関する。
【背景技術】
【０００２】蓋の裏側に、防虫剤や消臭剤等を取りつける為の部品を取り付けた製品は市販されているが、本発明の様に、蓋に特殊形状を一体成形したものは存在しない。
また、食品保存用の密閉容器は市販されているが、蓋に保冷材を取りつける事ができるものは存在しない。
【発明の開示】
【発明が解決しようとしている課題】
【０００３】生物を容器に入れて放置したり、弁当として持ち運ぶ場合など、気温が高い夏場は、食品が腐らない様に特に注意を要する。しかし、食品の鮮度を保つ為に容器内に保冷材を入れると、冷気が容器内に均等に回らず、保冷材から遠い所にある食品が腐り易い。
また、保冷材を適当な場所に保持する為に、容器とは異なる部材を装置すれば、コストが上がってしまう。
【課題を解決する為の手段】
【０００４】蓋の裏側に保冷材を取りつける。その為に、蓋は樹脂成形品とし、蓋と一体成形により、保冷材を保持するステーを装置する。
また、容器本体と蓋は、密閉する事により、さらに冷却効果を上げる。
【発明の効果】
【０００５】容器内で、食品の上部に当る蓋の裏側に、保冷材を取りつける事により、重い冷気は下降し、暖かい空気は上昇する自然対流が発生する。その結果、容器内は均一に冷やされ、食品が腐る事を防止できる。
また、ステーを蓋に一体成形する事により、コストが上がるのを防ぐ事ができる。
尚、ステーの形状によっては、通常の型割り方法では樹脂成形が不可能であるが、特殊なスライド型等を使う事で解決できる。
【発明を実施するための最良の形態】
【０００６】本発明品の蓋の裏側に、保冷材を保持する為のステーを設ける。ステーの形状は、２本の板状部材で保冷材を挟み保持する構成や、ステーの先端部を折り曲げ、水平部分を設ける事で、保冷材を乗せる方法等がある。
蓋の裏側に保冷材が取りつけられている事により、冷気は容器内にまんべんなく行き渡り、冷却効果が増す。また、保冷材が直接食品に触れる事が無いので、衛生的である。
容器と蓋の嵌合部は、密閉構造とする事により、さらに冷却効果が増す。
【実施例】
【０００７】図１は本発明の蓋の断面図であり、図２は蓋の下面図である。蓋１の裏側、すなわち下側に、ステー２を２本、一体成形してある。ステー２の先端は、約９０度に折り曲げられ、水平部分３を構成し、水平部分３に保冷材４を乗せる事により、保冷材４を保持できる。
保冷材４は、一般的に柔らかいので、前記水平部分３と、蓋１の裏側の間隔を狭くし、保冷材４を挟み込むように構成すれば、蓋１の開閉によって保冷材４が脱落する心配が無い。また、２本のステー２の設置間隔を狭くして、保冷材４を挟み込むように構成しても同じである。この状態で、蓋を容器に被せれば、自然対流により、容器内の食品に冷気が均一に行き渡る。以上が、請求項１の実施例である。【０００８】図３は、請求項２の実施例であり、容器６に蓋１を取りつけた状態の断面図である。請求項１で保持した保冷材４の冷却効果を高める為には、容器６と蓋１の嵌合部を密閉し、冷気が逃げないようにする必要がある。その為に、蓋１の外周縁部５に下向きの凹部を形成し、容器６の側壁に隙間無く嵌合させる。また、バンドやバックル等の留具で蓋１を容器６に圧着しても同様の効果が得られる。尚、図３では、請求項１に関する内容は、省略してある。以上が、請求項２の実施例である。
【産業上の利用可能性】
【０００９】本発明によれば、普通の食品保存容器を、コストをあまり上げずに、保冷容器として使う事が可能となり、また、保冷材を使用しない場合でも、通常の密閉容器として使用する事ができる為、極めて利便性が高い。
【図面の簡単な説明】
【００１０】
【図１】請求項１の、断面図である。
【図２】請求項１の、下面図である。
【図３】請求項２の、断面図である。
【符号の説明】
【００１１】１、本発明の、蓋
２、蓋に一体成形された、ステー
３、ステー下部に設けた、水平部分
４、糊状の物質を袋に詰めた、保冷部材
５、嵌合部
６、容器本体
【図１】
2006182447.tif 000003
【図２】
2006182447.tif 000004
【図３】
2006182447.tif 000005
(57)【要約】      （修正有）【課題】容器を用意するだけで、別に栓抜きを用意することなくビンの蓋をはずして飲むことができる容器を提供する。【解決手段】飲用容器の底面の端に栓抜きを設けた。【選択図】図１
2006182448.tif 000002
【特許請求の範囲】
【請求項１】
底面に、栓抜きを設けたことを特徴とする容器。
【請求項２】
前記栓抜きは、底面の端に設けられたことを特徴とする請求項１記載の容器。
【発明の詳細な説明】
【技術分野】
【０００１】  この発明は、１個の器が栓抜きにもビール等の飲料にも用いる容器の形状に関する。
【発明の開示】
【発明が解決しようとする課題】
【０００２】  ビン詰めビールを飲む場合、容器と栓抜きを用意しなければならなかった。そこで、この発明は、容器を用意するだけで、別に栓抜きを用意することなくビンの蓋をはずして飲むことができる容器を提供することを課題とする。
【課題を解決するための手段】
【０００３】  以上の課題を解決するために、第一発明は、容器の底面に栓抜きを設けたことを特徴とする容器である。
また、第二発明は、底面に栓抜きを設け、この栓抜きは底面の端に設けられたことを特徴とする容器である。
【発明の効果】
【０００４】  第一発明、または第二発明によれば、容器の底面に栓抜きを設けたので、別に栓抜きを用意することなく、また底面の端に設けたことにより容器の上の方を手のひら全体で掴んで栓を抜けば、軽い力でビンの蓋を外すことができ、手も痛くならずに、飲むことができる。
【発明を実施するための最良の形態】
【０００５】  この発明の一実施形態を、図１に示す。
容器の本体１は金属製であり、この本体１の底面の端には、金属製の栓抜きが設けられている。【０００６】「実施形態の効果」
この実施形態によれば、別に栓抜きを用意しなくてよい。栓を抜く際、容器を手のひら全体でつかむので力が分散し、手が痛くない。
【図面の簡単な説明】
【０００７】
【図１】この発明の一実施形態を示す断面図である。
【図２】この発明の一実施形態を示す底面図である。
【図３】この発明の使用状態を示す横面図である。
【符号の説明】
【０００８】１  容器本体
２  栓抜き
３  ビン詰めビール
【図１】
2006182448.tif 000003
【図２】
2006182448.tif 000004
【図３】
2006182448.tif 000005
(57)【要約】【課題】買い物袋やゴミ袋等の袋は、袋の開口部付近の表側と裏側を両側から指で挟んでずらすことで開口しているが、指が乾いている場合は滑って開けにくいので、指が滑らないようにして、容易に袋の表側と裏側をずらして開けられるようにする。【解決手段】買い物袋やゴミ袋等の袋の開口部付近に、滑り止め効果のある、塗料、インク、ワックス等の材料、又はシール、テープ、プレート等の物体、又は粉体を付ける。滑り止めを付ける方法は、塗布、印刷、又は接着技術に関するものなので説明を省略する。【選択図】図２
2006182409.tif 000002
【特許請求の範囲】
【請求項１】
開口部付近に、滑り止め効果のある、塗料、インク、ワックス等の材料、又はシール、テープ、プレート等の物体、又は粉体を付けて、あけ易くした袋。
【発明の詳細な説明】
【技術分野】
【０００１】
本発明は、開口部付近に滑り止めを付けて開けやすくした、買い物袋やゴミ袋等の袋に関するものである。
【発明の開示】
【発明が解決しようとする課題】
【０００２】
解決しようとする問題点は、買い物袋やゴミ袋等の袋を開口するときに、袋の開口部付近の表側と裏側を両側から指で挟んでずらすが、指が滑ってずらすことができないために開けにくい点である。
【課題を解決するための手段】
【０００３】
本発明は、買い物袋やゴミ袋等の袋の開口部付近に、滑り止め効果のある、塗料、インク、ワックス等の材料、又はシール、テープ、プレート等の物体、又は粉体を付ける（以後「滑り止め」という。）ことを特徴とする。
【発明の効果】
【０００４】
買い物袋やゴミ袋等の袋の開口部付近の表側と裏側を両側から指で挟んでずらして開口するときに、開口部付近に付けた滑り止め部で行うことにより、指が乾燥していても滑らずに袋の表側と裏側をずらすことができ、容易に開口できる。
【０００５】
また、滑り止めを袋と異なる色にすることで、開口部の位置が容易にわかる利点が生じる。
【発明を実施するための最良の形態】
【０００６】
滑り止めを、袋の開口部付近の表側と裏側に相対して付ける。
【実施例１】
【０００７】
図１は、本発明の、袋の開口部付近に滑り止めを付けた正面図である。
【０００８】
背面図も同様である。
【０００９】
滑り止めを付ける方法は、塗布、印刷、又は接着技術に関するものなので説明を省略する。
【００１０】
開口するときには、図２のように袋の表側と裏側に付けた滑り止め部を両側から指で挟んでずらすことで、指が滑らずに袋の表側と裏側をずらすことができ、容易に開口できる。
【図面の簡単な説明】
【００１１】
【図１】開口部付近に滑り止めを付けた袋の実施方法を示した説明図である。
【図２】開口部付近に滑り止めを付けた袋の開口の実施方法を示した説明図である。
【符号の説明】
【００１２】
１    滑り止め
２    袋
３    開口部
４    袋の表側
５    裏側の滑り止め
６    袋の裏側
７    手
【図１】
2006182409.tif 000003
【図２】
2006182409.tif 000004
(57)【要約】【課題】本発明は、２相レゾルバ信号を二乗和して二乗和信号とすることにより、全角度範囲にわたり一定の信号を得て異常検出を高精度で行うことを目的とする。【解決手段】本発明によるレゾルバ信号の異常検出方法は、ｓｉｎ信号(1)とｃｏｓ信号(2)を直流化して二乗化して和を求めることにより、二乗和出力ｓｉｎ２＋ｃｏｓ２を求め、全角度範囲においてそのレベルが一定であるため、ウィンドウ型コンパレータで処理することにより、高精度の異常検出ができる構成である。【選択図】図１
2006078392.tif 000002
【特許請求の範囲】
【請求項１】
レゾルバから出力されるｓｉｎ信号(1)及びｃｏｓ信号(2)を直流に変換した後、前記各信号(1,2)の二乗を行って加算器(5)にて加算し、前記加算器(5)から得られた二乗和出力(ｓｉｎ２＋ｃｏｓ２)をウィンドウ型コンパレータを用いて正常／異常の判定を行うことを特徴とするレゾルバ信号の異常検出方法。
【発明の詳細な説明】
【技術分野】
【０００１】
本発明は、レゾルバ信号の異常検出方法に関し、特に、２相出力信号を二乗和した二乗和出力を用いてレゾルバ信号の異常の有無を判定するための新規な改良に関する。
【背景技術】
【０００２】
従来、用いられていたこの種のレゾルバ信号の異常検出方法としては、特許文献等は開示していないが、図２で示される方法が採用されていた。
すなわち、図２において、図示しないレゾルバから出力されている２相のｓｉｎ信号１及びｃｏｓ信号２は、各々第１、第２ＡＣ／ＤＣ変換部３、４によって直流信号に変換された後に、加算器５にて加算され、加算された加算出力ｓｉｎ＋ｃｏｓは、ウィンドウ型コンパレータ１０に入力される。
【０００３】
前記ウィンドウ型コンパレータ１０においては、前記加算出力ｓｉｎ＋ｃｏｓが全角度範囲において１〜１．４倍のリップル状であるため、この１〜１．４倍のリップル状の加算出力ｓｉｎ＋ｃｏｓのレベルに合わせた検出ウィンドウ１１が設定されている。
従って、この検出ウィンドウ１１からはずれた信号が発生した場合には、正常時１１ａに対する異常時１１ｂが検出される。
【発明の開示】
【発明が解決しようとする課題】
【０００４】
従来のレゾルバ信号の異常検出方法は、以上のように構成されていたため、次のような課題が存在していた。
すなわち、ｓｉｎ信号とｃｏｓ信号の和で評価していたため、リップルが発生する１〜１．４倍の範囲を正常として判定しなければならず、正確な異常検出を行うことは不可能であった。
【課題を解決するための手段】
【０００５】
本発明によるレゾルバ信号の異常検出方法は、レゾルバから出力されるｓｉｎ信号及びｃｏｓ信号を直流に変換した後、前記各信号の二乗を行って加算器にて加算し、前記加算器から得られた二乗和出力をウィンドウ型コンパレータを用いて正常／異常の判定を行う方法である。
【発明の効果】
【０００６】
本発明によるレゾルバ信号の異常検出方法は、以上のように構成されているため、次のような効果を得ることができる。
すなわち、２相のレゾルバ信号を直流に変換して二乗和しているため、出力信号ｓｉｎ２＋ｃｏｓ２すなわち二乗和出力は、全角度範囲で一定であるため、検出ウィンドウのウィンドウを従来よりも小さくすることができ、極めて正確な異常判定を行うことができる。
【発明を実施するための最良の形態】
【０００７】
本発明は、レゾルバ信号を直流に変換して二乗和することにより、全角度範囲で二乗和出力は一定であることを利用して高精度の異常判定を行うことができる。
【実施例】
【０００８】
以下、図面と共に本発明によるレゾルバ信号の異常検出方法の好適な実施の形態について説明する。
尚、従来例と同一又は同等部分には同一符号を用いて説明する。
図１において、図示しないレゾルバから出力される２相のｓｉｎ信号１及びｃｏｓ信号２は、各々第１、第２ＡＣ／ＤＣ変換部３、４によって直流信号に変換された後に、第１、第２二乗部２０、２１を経て二乗され、その後に加算器５によって加算されて二乗和出力ｓｉｎ２＋ｃｏｓ２が得られる。
【０００９】
前記二乗和出力ｓｉｎ２＋ｃｏｓ２は、ウィンドウ型コンパレータ１０に入力され、従来よりも小さい範囲のウィンドウを有する検出ウィンドウ１１によって異常判定が行われる。
この場合、前記二乗和出力ｓｉｎ２＋ｃｏｓ２は、全角度範囲で一定であるため、ほぼ全範囲で異常判定ができる。
【００１０】
また、レゾルバ信号はｓｉｎ信号１とｃｏｓ信号２の片側のレベルが変化することにより、精度が悪くなることがあるため、この異常判定を精度判定としても利用することができる。
【産業上の利用可能性】
【００１１】
本発明は、レゾルバだけではなく、シンクロ等へ適用可能である。
【図面の簡単な説明】
【００１２】
【図１】本発明によるレゾルバ信号の異常検出方法を示す構成図である。
【図２】従来のレゾルバ信号の異常検出方法を示す構成図である。
【符号の説明】
【００１３】
１    ｓｉｎ信号
２    ｃｏｓ信号
３    第１ＡＣ／ＤＣ変換部
４    第２ＡＣ／ＤＣ変換部
５    加算器
１０    ウィンドウ型コンパレータ
２０    第１二乗部
２１    第２二乗部
ｓｉｎ２＋ｃｏｓ２    二乗和出力
【図１】
2006078392.tif 000003
【図２】
2006078392.tif 000004
(57)【要約】【課題】本発明は、簡単な構造で、光コネクタを容易に接続可能であるアダプタホルダを提供することを目的としている。【解決手段】本発明に係るアダプタホルダ１は、アダプタ２を取り付けるためのプレート５と、プレート５を支持するための支柱４とから構成され、支柱４には、プレート５を挟持する溝１０を形成し、溝１０の範囲内でプレート５はスライド移動可能であり、プレート５はラッチ８やねじ等の固定手段により支柱４に固定可能であることを特徴とする。【選択図】図１
2006078874.tif 000002
【特許請求の範囲】
【請求項１】
光成端箱に配置され、光コネクタを接続するためのアダプタホルダであって、前記アダプタホルダは、アダプタを取り付けるためのプレートと、該プレートを支持するための支柱とから構成され、前記支柱には、前記プレートを挟持する溝を形成し、該溝の範囲内で前記プレートはスライド移動可能であり、前記プレートはラッチやねじ等の固定手段により前記支柱に固定可能であることを特徴とするアダプタホルダの構造。
【発明の詳細な説明】
【技術分野】
【０００１】
本発明は、光成端箱に配置され、光コネクタを接続するためのアダプタホルダに関するものである。
【背景技術】
【０００２】
光コネクタが接続されるアダプタは、基板の高い位置に固定された金具に固定されていた。
【特許文献１】特開平１１−１３３２４５号公報
【発明の開示】
【発明が解決しようとする課題】
【０００３】
アダプタを光成端箱に収納する場合に、キャビネットの奥行きが必要となり、製造コストを引き上げてしまうという欠点があった。
【課題を解決するための手段】
【０００４】
そこで本発明は、簡単な構造で、光コネクタを容易に接続可能であるアダプタホルダを提供することを目的とし、その構造は、アダプタを取り付けるためのプレートと、プレートを支持するための支柱とから構成され、支柱には、プレートを挟持する溝を形成し、溝の範囲内でプレートはスライド移動可能であり、プレートはラッチやねじ等の固定手段により支柱に固定可能であることを特徴とする。
【発明の効果】
【０００５】
本発明に係るアダプタホルダは、アダプタを取り付けるためのプレートと、プレートを支持するための支柱とから構成され、支柱には、プレートを挟持する溝を形成し、溝の範囲内でプレートはスライド移動可能であり、プレートはラッチやねじ等の固定手段により支柱に固定可能であるため、光コネクタを容易に接続することができ、作業性が向上するという利点がある。また、アダプタホルダの高さを調節できるため、キャビネットの深さに対応させてアダプタホルダを固定することができ、キャビネットの小型化を図ることができる。
【発明を実施するための最良の形態】
【０００６】
本発明に係るアダプタホルダは、光コネクタの接続を容易にするという目的を、部品点数を低減しながら、簡単な構造で実現した。
【実施例１】
【０００７】
本発明に係るアダプタホルダを図１の添付図面に基づいて説明する。
【０００８】
光成端箱では、キャビネットに光配線のための光コード等を接続したり収納したりされる。本発明のアダプタホルダ１は、光コードをコネクタを介して接続されるアダプタ２を保持するもので、キャビネットに取り付けられた基板３に立設された支柱４とアダプタ２を固定するプレート５とから構成される。
【０００９】
支柱４は、一端に底板取り付け部６を形成し、他端にはプレート固定部７とを形成し、プレート固定部７には挿通孔８を設ける。また、柱部９には、プレート５が挟持可能である溝１０を形成する。プレート５の端部には、支柱４に設けられた挿通孔８に対向する固定穴１１を形成する。プレート５は支柱４に形成された溝１０の範囲内でスライド移動可能で、プレート５を上下に移動させることができる。
【００１０】
アダプタ２にコネクタを接続する作業中は、プレート５を引き上げ基板３から離す。基板３に載置された他の機器等に触れない位置で作業することができるため、障害物がなく作業がしやすくなる。
【００１１】
アダプタ２へのコネクタの接続作業後、プレート５は支柱４に沿って下げ、プレート５は固定穴１１を支柱４のプレート固定部７に対向させ、固定穴１１とプレート固定部７それぞれにラッチ１２を挿通し、プレート５を支柱４に固定し、アダプタ２やコネクタが動かないようになり、光コードにストレスがかからなくなる。
【産業上の利用可能性】
【００１２】
アダプタホルダは支柱とアダプタを取り付けたプレートとから構成され、プレートは支柱に設けられた溝の範囲内で上下にスライド移動可能であるため、作業のしやすい位置でプレートを固定でき、作業性を向上させることができる。
【図面の簡単な説明】
【００１３】
【図１】本発明に係るアダプタホルダの構造を示す説明図である。（実施例１）
【符号の説明】
【００１４】
１      アダプタホルダ
２      アダプタ
３      基板
４      支柱
５      プレート
６      底板取り付け部
７      プレート固定部
８      挿通孔
９      柱部
１０    溝
１１    固定穴
１２    ラッチ
【図１】
2006078874.tif 000003
(57)【要約】【課題】再生される音声内の雑音を低減させる方法はあるが、入力される音声信号を加工し聴視者にメリハリのある音声を提供することができなかった。【解決手段】入力された音声信号の周波数強度分布を監視している音声処理回路において、音声周波数分布を一定時間モニタ、メモリし、音声周波数強度分布に閾値（２値）を設け、大きい方の閾値より高い音声強度が一定時間以上入力された場合はその周波数強度を強くし、小さい方の閾値より低い音声強度が一定時間以上入力された場合はその周波数強度を弱くすることを行う音声周波数分布可変装置を用いることにより、聴視者にメリハリのある音声を提供することができる。【選択図】図１
2006078831.tif 000002
【特許請求の範囲】
【請求項１】
音声周波数分布を監視する音声処理回路において、音声周波数分布を一定時間モニタ、メモリし、音声周波数強度分布に閾値（２値）を設け、大きい方の閾値より高い音声強度が一定時間以上入力された場合はその周波数強度を強くし、小さい方の閾値より低い音声強度が一定時間以上入力された場合はその周波数強度を弱くすることで聴視者にメリハリのある音声を提供することを特徴とする音声周波数分布可変装置。
【発明の詳細な説明】
【技術分野】
【０００１】
本発明は、音声機器、特に音声周波数分布を監視する音声処理回路に適用して好適なものである。
【背景技術】
【０００２】
特許文献１においては、音源装置の制御を行う音源制御部の負荷を増大させずに、再生される音声中の雑音を低減させることができる音源装置を提供するものであった。
【特許文献１】特開平６−３０００３２号公報
【発明の開示】
【発明が解決しようとする課題】
【０００３】
上記に示した発明においては、再生される音声中の雑音を低減させることのみで、入力される音声信号を加工し聴視者にメリハリのある音声を提供することができなかった。
【課題を解決するための手段】
【０００４】
この課題を解決するために本発明は、入力された音声信号の周波数強度分布を監視している音声処理回路において、音声周波数分布を一定時間モニタ、メモリし、音声周波数強度分布に閾値（２値）を設け、大きい方の閾値より高い音声強度が一定時間以上入力された場合はその周波数強度を強くし、小さい方の閾値より低い音声強度が一定時間以上入力された場合はその周波数強度を弱くすること
を行う音声周波数分布可変装置を用いることにより、聴視者にメリハリのある音声を提供することができるものである。
【発明の効果】
【０００５】
以上のように本発明によれば、入力された音声信号の周波数強度分布を監視している音声処理回路において、音声周波数分布を一定時間モニタ、メモリし、音声周波数強度分布に閾値（２値）を設け、大きい方の閾値より高い音声強度が一定時間以上入力された場合はその周波数強度を強くし、小さい方の閾値より低い音声強度が一定時間以上入力された場合はその周波数強度を弱くすることを行う音声周波数分布可変装置を用いることにより、聴視者にメリハリのある音声を提供することができる。
【発明を実施するための最良の形態】
【０００６】
本発明は、音声機器、特に音声周波数分布を監視する音声処理回路において、音声周波数分布を一定時間モニタ、メモリし、音声周波数強度分布に閾値（２値）を設け、大きい方の閾値より高い音声強度が一定時間以上入力された場合はその周波数強度を強くし、小さい方の閾値より低い音声強度が一定時間以上入力された場合はその周波数強度を弱くすることにより、聴視者にメリハリのある音声を提供することができるものである。
【０００７】
以下、本発明の実施形態については、図１、図２を用いて説明する。
【０００８】
（実施の形態１）
図１及び図２に請求項１に記載の音声周波数分布可変装置の構成および音声周波数可変回路の説明図を示す。
【０００９】
図１において、まず音声信号入力１を音声処理回路２を経由し音声周波数分布抽出回路２に入力する。音声周波数分布抽出回路２より抽出された音声周波数分布を音声周波数分布メモリ回路３に入力する。メモリされた音声周波数分布を聴視者にメリハリのある音声を提供することを目的に演算、加工するため、音声周波数分布可変回路４に出力する。ここで、図２を用い音声周波数可変回路について説明する。
【００１０】
まず、音声強度閾値の最大値Ｔｈｍａｘと最小値Ｔｈｍｉｎを設定する。また、注目開始時間をｔ、メモリ時間間隔をＴ、音声周波数分布を可変させるまでの時間をｎＴ、音声周波数をｆａ、ｆｂ、……ｆｚ、その時の音声強度をＳａ（ｔ）、Ｓｂ（ｔ）、……Ｓｚ（ｔ）とする。ここで、メモリ時間間隔Ｔより、注目開始時間ｔの次の時間にメモリされる音声強度はＳａ（ｔ＋Ｔ）、Ｓｂ（ｔ＋Ｔ）、……Ｓｚ（ｔ＋Ｔ）となり、音声周波数分布を可変させるまでの時間ｎＴにおいての音声強度は、Ｓａ（ｔ＋ｎＴ）、Ｓｂ（ｔ＋ｎＴ）、……Ｓｚ（ｔ＋ｎＴ）となる。
【００１１】
前述に示す音声強度を時間ｔからｎＴの間モニタし、音声強度閾値の最大値Ｔｈｍａｘより大きい音声強度がｎＴ時間継続すれば、その周波数を現在の音声強度より大きくし、音声強度閾値の最小値Ｔｈｍｉｎより小さい音声強度がｎＴ時間継続すれば、その周波数を現在の音声強度より小さくする。
【００１２】
例えば、音声周波数ｆａの音声強度Ｓａ（ｔ）、Ｓａ（ｔ＋Ｔ）……Ｓｚ（ｔ＋ｎＴ）が音声強度閾値の最大値Ｔｈｍａｘより大きい状態がｎＴ時間継続した場合、現在設定している音声強度よりも更に大きくし、また、音声周波数ｆｂの音声強度Ｓｂ（ｔ）、Ｓｂ（ｔ＋Ｔ）……Ｓｂ（ｔ＋ｎＴ）が音声強度閾値の最小値Ｔｈｍｉｎより小さい状態がｎＴ時間継続すれば、現在設定している音声強度よりも更に小さく設定する。
【００１３】
このように音声周波数分布可変回路４より加工、演算された音声信号を音声処理回路５、プリアンプ回路６、出力アンプ回路７で信号処理しスピーカ８に出力することにより、聴視者にメリハリのある音声を提供することができる。
【産業上の利用可能性】
【００１４】
本発明の音声周波数分布可変装置によれば、入力される音声信号を加工して聴視者にメリハリのある音声を提供することができるので、音声機器、特に音声周波数分布を監視する音声処理回路等として有用である。
【図面の簡単な説明】
【００１５】
【図１】音声周波数分布可変装置の構成図
【図２】音声周波数可変回路の説明図
【符号の説明】
【００１６】
１    音声信号入力
２    音声周波数分布出力回路
３    音声周波数分布メモリ回路
４    音声周波数分布可変回路
５    音声処理回路
６    プリアンプ回路
７    出力アンプ回路
８    スピーカ
【図１】
2006078831.tif 000003
【図２】
2006078831.tif 000004